【手続補正書】
【提出日】平成16年12月24日(2004.12.24)
【手続補正１】
【補正対象書類名】明細書
【補正対象項目名】全文
【補正方法】変更
【補正の内容】
【書類名】      明細書
【発明の名称】  名刺情報提供装置、名刺情報提供プログラム、及び該プログラムを記録したコンピュータ読み取り可能な記録媒体
【特許請求の範囲】
【請求項１】  通信ネットワークを介して接続された利用者の利用者端末へ登録者の名刺媒体に記載された名刺情報を提供するための名刺情報提供装置であって、
前記名刺情報とともに該名刺情報を識別する名刺ＩＤを記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該取り出した前記名刺情報を電子名刺として利用可能なデータ形式に変換する変換手段と、
該変換した前記名刺情報を前記利用者端末で受信できるようにする提供手段とを備えた名刺情報提供装置。
【請求項２】  通信ネットワークを介して接続された利用者の利用者端末へ登録者の名刺媒体に記載された名刺情報を提供するための名刺情報提供装置であって、
前記名刺情報を識別する名刺ＩＤに関連づけて電子名刺として利用可能なデータ形式で前記名刺情報を記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該名刺情報を前記利用者端末で受信できるようにする提供手段とを備えた名刺情報提供装置。
【請求項３】  前記利用受付手段は、さらに前記データ形式の指定を受信し、
前記変換手段は、指定された前記データ形式に前記名刺情報を変換する請求項１記載の名刺情報提供装置。
【請求項４】  前記利用受付手段は、さらに前記名刺情報の送信先の指定を受信し、
前記提供手段は、該指定された送信先へ該名刺情報を送信する請求項１〜３のいずれか一項に記載の名刺情報提供装置。
【請求項５】  前記名刺情報を提供したときの提供情報を前記登録者へ通知するための提供情報通知手段を備えた請求項１〜４のいずれか一項に記載の名刺情報提供装置。
【請求項６】  前記名刺情報を提供するごとに前記登録者へ課金するように課金情報を記録する課金情報記録手段を備えた請求項１〜５のいずれか一項に記載の名刺情報提供装置。
【請求項７】  通信ネットワークを介して接続された利用者の利用者端末へ登録者の名刺媒体に記載された名刺情報を提供するための名刺情報提供装置であって、
前記登録者の前記名刺情報及び前記名刺媒体の注文情報を入力する登録受付手段と、
該注文内容に応じて、前記名刺情報を前記利用者へ提供する有効期間を設定する有効期間設定手段とを備えた名刺情報提供装置。
【請求項８】  前記名刺媒体の追加注文を入力する追加受付手段と、
該追加注文の内容に応じて前記有効期間を延長する第一の有効期間延長手段とを備えた請求項７記載の名刺情報提供装置。
【請求項９】  前記有効期間の延長を入力する延長受付手段と、
該延長の内容に応じて前記有効期間を延長する第二の有効期間延長手段とを備えた請求項７又は８記載の名刺情報提供装置。
【請求項１０】  通信ネットワークを介して接続された利用者の利用者端末へ登録者の名刺媒体に記載された名刺情報を提供するためのコンピュータで実行される名刺情報提供プログラムであって、
前記コンピュータを、
前記名刺情報とともに該名刺情報を識別する名刺ＩＤを記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該取り出した前記名刺情報を電子名刺として利用可能なデータ形式に変換する変換手段と、
該変換した前記名刺情報を前記利用者端末で受信できるようにする提供手段と
を備えた装置として機能させるための名刺情報提供プログラム。
【請求項１１】  通信ネットワークを介して接続された利用者の利用者端末へ登録者の名刺媒体に記載された名刺情報を提供するためのコンピュータで実行される名刺情報提供プログラムであって、
前記コンピュータを、
前記名刺情報を識別する名刺ＩＤに関連づけて電子名刺として利用可能なデータ形式で前記名刺情報を記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該名刺情報を前記利用者端末で受信できるようにする提供手段と
を備えた装置として機能させるための名刺情報提供プログラム。
【請求項１２】  前記利用受付手段は、さらに前記データ形式の指定を受信し、
前記変換手段は、指定された前記データ形式に前記名刺情報を変換する請求項１０記載の名刺情報提供プログラム。
【請求項１３】  前記利用受付手段は、さらに前記名刺情報の送信先の指定を受信し、
前記提供手段は、該指定された送信先へ該名刺情報を送信する請求項１０〜１２のいずれか一項に記載の名刺情報提供プログラム。
【請求項１４】  前記装置は、前記名刺情報を提供したときの提供情報を前記登録者へ通知するための提供情報通知手段を備えた請求項１０〜１３のいずれか一項に記載の名刺情報提供プログラム。
【請求項１５】  前記装置は、前記名刺情報を提供するごとに前記登録者へ課金するように課金情報を記録する課金情報記録手段を備えた請求項１０〜１４のいずれか一項に記載の名刺情報提供プログラム。
【請求項１６】  通信ネットワークを介して接続された利用者の利用者端末へ登録者の名刺媒体に記載された名刺情報を提供するためのコンピュータで実行される名刺情報提供プログラムであって、
前記コンピュータを、
前記登録者の前記名刺情報及び前記名刺媒体の注文情報を入力する登録受付手段と、
該注文内容に応じて、前記名刺情報を前記利用者へ提供する有効期間を設定する有効期間設定手段と
を備えた装置として機能させるための名刺情報提供プログラム。
【請求項１７】  前記装置は、前記名刺媒体の追加注文を入力する追加受付手段と、
該追加注文の内容に応じて前記有効期間を延長する第一の有効期間延長手段とを備えた請求項１６記載の名刺情報提供プログラム。
【請求項１８】  前記装置は、前記有効期間の延長を入力する延長受付手段と、
該延長の内容に応じて前記有効期間を延長する第二の有効期間延長手段とを備えた請求項１６又は１７記載の名刺情報提供プログラム。
【請求項１９】  請求項１０〜１８のいずれか一項に記載の名刺情報提供プログラムが記録されたコンピュータ読み取り可能な記録媒体。
【発明の詳細な説明】
【０００１】
【発明の属する技術分野】
本発明は、通信ネットワークを介して接続された利用者の利用者端末へ登録者の名刺媒体に記載された名刺情報を提供するための名刺情報提供装置、名刺情報提供プログラム、及び該プログラムを記録したコンピュータ読み取り可能な記録媒体に関するものである。
【０００２】
【従来の技術】
ビジネス界においては、初めて会った者同士が有体物としての名刺（本書において、単に「名刺」というときは、「有体物としての名刺」を示す。）を交換することにより、互いの氏名、身分、連絡先等の名刺情報を相手に知らせ会っている。この名刺は一覧したり、携帯したり、名刺交換したりするときは扱いやすく、有用である。しかし、受け取った名刺に記載された名刺情報を管理するには、検索、保存、複製等の処理のし易さの点でＰＣ（Personal Computer）、ＰＤＡ（Personal Digital Assistance）、携帯電話等の情報端末の方が有用である。近年情報端末の各個人への普及が進んでいることもあり、受け取った名刺に記載された名刺情報を情報端末に記憶させて管理しようとする人が増えてきている。
【０００３】
【発明が解決しようとする課題】
ところが、情報端末で名刺情報を管理するためには、まず名刺情報を情報端末に入力しなければならず、これに手間が掛かる。特に、ＰＤＡや携帯電話は携帯性を重視して構成され、入力部の操作性が犠牲になっていることが多く、入力に手間が掛かることが多い。また、名刺は一度に複数人と交換されることが多いため、こまめに情報端末に入力しないと、すぐに未入力の名刺が溜まってしまう。そして、結局名刺情報が入力されないまま、無くされてしまうこともある。また、名刺に記載された名刺情報は、名刺を交換した時点におけるものなので、その後適宜情報を更新する必要があり、この更新にも手間が掛かる。このように名刺情報を情報端末で管理しようとすると名刺情報の入力に手間が掛かるという問題があり、名刺管理を始めたものの結局途中で挫折する人も多い。
【０００４】
本発明の目的は、上記課題を解決し、名刺媒体に記載された名刺情報を情報端末に簡単に入力することができるようにする名刺情報提供装置を提供することにある。
【０００５】
【課題を解決するための手段】
上記目的を達成するために、本発明の名刺情報提供装置は、通信ネットワークを介して接続された利用者の利用者端末へ登録者の名刺媒体に記載された名刺情報を提供するための名刺情報提供装置であって、前記名刺情報とともに該名刺情報を識別する名刺ＩＤ（Identification）を記憶した名刺情報記憶手段と、前記利用者端末から前記名刺媒体に記録された前記名刺ＩＤを受信する利用受付手段と、該受信した前記名刺ＩＤについての前記名刺情報を前記名刺情報記憶手段から取り出す取出手段と、該取り出した前記名刺情報を電子名刺として利用可能なデータ形式に変換する変換手段と、該変換した前記名刺情報を前記利用者端末で受信できるようにする提供手段とを備えている。
【０００６】
また、本発明の名刺情報提供装置は、通信ネットワークを介して接続された利用者の利用者端末へ登録者の名刺媒体に記載された名刺情報を提供するための名刺情報提供装置であって、前記名刺情報を識別する名刺ＩＤに関連づけて電子名刺として利用可能なデータ形式で前記名刺情報を記憶した名刺情報記憶手段と、前記利用者端末から前記名刺媒体に記録された前記名刺ＩＤを受信する利用受付手段と、該受信した前記名刺ＩＤについての前記名刺情報を前記名刺情報記憶手段から取り出す取出手段と、該名刺情報を前記利用者端末で受信できるようにする提供手段とを備えている。
【０００７】
前記利用受付手段は、さらに前記データ形式の指定を受信し、前記変換手段は、指定された前記データ形式に前記名刺情報を変換する態様を例示する。
【０００８】
前記利用受付手段は、さらに前記名刺情報の送信先の指定を受信し、前記提供手段は、該指定された送信先へ該名刺情報を送信する態様を例示する。
【０００９】
前記名刺情報を提供したときの提供情報を前記登録者へ通知するための提供情報通知手段を備えた態様を例示する。
【００１０】
前記名刺情報を提供するごとに前記登録者へ課金するように課金情報を記録する課金情報記録手段を備えた態様を例示する。
【００１１】
また、本発明の名刺情報提供装置は、通信ネットワークを介して接続された利用者の利用者端末へ登録者の名刺媒体に記載された名刺情報を提供するための名刺情報提供装置であって、前記登録者の前記名刺情報及び前記名刺媒体の注文情報を入力する登録受付手段と、該注文内容に応じて、前記名刺情報を前記利用者へ提供する有効期間を設定する有効期間設定手段とを備えている。
【００１２】
前記名刺媒体の追加注文を入力する追加受付手段と、該追加注文の内容に応じて前記有効期間を延長する第一の有効期間延長手段とを備えた態様を例示する。
【００１３】
前記有効期間の延長を入力する延長受付手段と、該延長の内容に応じて前記有効期間を延長する第二の有効期間延長手段とを備えた態様を例示する。
【００１４】
また、本発明の名刺情報提供プログラムは、
通信ネットワークを介して接続された利用者の利用者端末へ登録者の名刺媒体に記載された名刺情報を提供するためのコンピュータで実行される名刺情報提供プログラムであって、
前記コンピュータを、
前記名刺情報とともに該名刺情報を識別する名刺ＩＤを記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該取り出した前記名刺情報を電子名刺として利用可能なデータ形式に変換する変換手段と、
該変換した前記名刺情報を前記利用者端末で受信できるようにする提供手段と
を備えた装置として機能させるためのものである。
【００１５】
また、本発明の名刺情報提供プログラムは、
通信ネットワークを介して接続された利用者の利用者端末へ登録者の名刺媒体に記載された名刺情報を提供するためのコンピュータで実行される名刺情報提供プログラムであって、
前記コンピュータを、
前記名刺情報を識別する名刺ＩＤに関連づけて電子名刺として利用可能なデータ形式で前記名刺情報を記憶した名刺情報記憶手段と、
前記利用者端末から前記名刺媒体に記録された前記名刺ＩＤを受信する利用受付手段と、
該受信した前記名刺ＩＤについての前記名刺情報を前記名刺情報記憶手段から取り出す取出手段と、
該名刺情報を前記利用者端末で受信できるようにする提供手段と
を備えた装置として機能させるためのものである。
【００１６】
前記利用受付手段は、さらに前記データ形式の指定を受信し、
前記変換手段は、指定された前記データ形式に前記名刺情報を変換する態様を例示する。
【００１７】
前記利用受付手段は、さらに前記名刺情報の送信先の指定を受信し、
前記提供手段は、該指定された送信先へ該名刺情報を送信する態様を例示する。
【００１８】
前記装置は、前記名刺情報を提供したときの提供情報を前記登録者へ通知するための提供情報通知手段を備えた態様を例示する。
【００１９】
前記装置は、前記名刺情報を提供するごとに前記登録者へ課金するように課金情報を記録する課金情報記録手段を備えた態様を例示する。
【００２０】
また、本発明の名刺情報提供プログラムは、
通信ネットワークを介して接続された利用者の利用者端末へ登録者の名刺媒体に記載された名刺情報を提供するためのコンピュータで実行される名刺情報提供プログラムであって、
前記コンピュータを、
前記登録者の前記名刺情報及び前記名刺媒体の注文情報を入力する登録受付手段と、
該注文内容に応じて、前記名刺情報を前記利用者へ提供する有効期間を設定する有効期間設定手段と
を備えた装置として機能させるためのものである。
【００２１】
前記装置は、前記名刺媒体の追加注文を入力する追加受付手段と、
該追加注文の内容に応じて前記有効期間を延長する第一の有効期間延長手段とを備えた態様を例示する。
【００２２】
前記装置は、前記有効期間の延長を入力する延長受付手段と、
該延長の内容に応じて前記有効期間を延長する第二の有効期間延長手段とを備えた態様を例示する。
【００２３】
また、本発明のコンピュータ読み取り可能な記録媒体は、前記いずれかの名刺情報提供プログラムが記録されている。
【００２４】
以上において、前記通信ネットワークとしては、特に限定されないが、インターネット、パソコン通信ネットワーク、プライベート通信ネットワーク等を例示する。
【００２５】
前記名刺媒体とは、特に限定されないが、前記名刺情報が記載された媒体をいう。この媒体としては、特に限定されないが、紙、樹脂、金属等からなるカードのほかに、事務用品、日用品、人形等の各種物品を例示する。
【００２６】
前記名刺媒体への前記名刺ＩＤの記録方法としては、特に限定されないが、前記名刺媒体の表面に文字、記号、又はバーコード、ドットパターン、線図等の図形で表示されている態様や、前記名刺媒体に埋設又は配設されたコンピュータ読み取り可能な記録媒体に記録されている態様を例示する。
【００２７】
前記電子名刺として利用可能なデータ形式とは、特に限定されないが、ｖＣａｒｄ（Visiting Card）形式、ＣＳＶ（Comma Separated Value）形式、テキストファイル形式等を例示する。
【００２８】
「前記利用者端末で受信できるようにする」とは、特に限定されないが、メールで受信できるようにする態様、Ｗｅｂサイトやｆｔｐ（File Transfer Protocol）サイトからダウンロードできるようにする態様等を例示する。
【００２９】
前記提供情報通知手段としては、特に限定されないが、前記通信ネットワークを介して接続された前記登録者の登録者端末へ前記提供情報を送信するように構成された態様や、前記登録者へファクシミリで前記提供情報を送信するように構成された態様や、前記登録者へ郵便で通知するための案内を出力するように構成された態様を例示する。また、提供情報としては、特に限定されないが、名刺情報を提供した日時、提供先の電子メールアドレス、提供先の利用者端末のＩＰ(Internet Protocol)アドレス等を例示する。また、提供情報を通知するタイミングとしては、特に限定されないが、一定期間ごとにまとめて通知する態様や、名刺情報を提供する毎に通知する態様等を例示する。
【００３０】
前記登録受付手段、前記追加受付手段、又は前記延長受付手段としては、特に限定されないが、前記通信ネットワークを介して接続された登録者の登録者端末から情報を受信するように構成された態様や、名刺情報提供装置に接続された入力装置から直接入力するように構成された態様を例示する。
【００３１】
【発明の実施の形態】
図１〜図１３は本発明を具体化した第一実施形態の名刺情報提供装置１、名刺情報提供プログラム、及び該プログラムを記録したコンピュータ読み取り可能な記録媒体を示している。この名刺情報提供装置１は、本例では通信ネットワークとしてのインターネット６を介して名刺情報を提供するＷｅｂサーバ装置として構成されており、図１に示すように、インターネット６を介して、該名刺情報提供装置１に名刺情報を登録する登録者の登録者端末２と、名刺媒体８に記録された名刺ＩＤを利用して該名刺情報提供装置１から前記名刺情報の提供を受ける利用者の利用者端末３と、登録者へ課金するための決済機関の決済装置４と、名刺媒体８を製作する名刺業者の名刺受注装置５とが互いに接続されている。
【００３２】
図２は本発明に使用される名刺媒体８を示している。この名刺媒体８は、本例では紙製のシートからなっており、その表面には、会社名、肩書、氏名、会社所在地、連絡先電話番号、連絡先電子メールアドレスを含む登録者の名刺情報７０が表示されるとともに、該名刺情報７０を識別する名刺ＩＤ７１が表示されている。名刺ＩＤは、本例では複数の英数字から構成されている。本例では、この名刺ＩＤを利用して名刺情報の提供を受けるときは、パスワードを名刺情報提供装置１に送信するようになっており、このパスワードとしては、特に限定されないが、名刺情報の一部（会社所在地の郵便番号、連絡先電話番号、連絡先電子メールアドレス等）とすることを例示する。本例では、パスワードとして連絡先電子メールアドレスを採用している。このように英字、数字、又は記号を含む連絡先電子メールアドレスをパスワードにすることにより、数字のみからなる郵便番号や電話番号をパスワードにすることと比較して、電子メールアドレスの無差別的な収集等を目的とする利用者による不正なアクセスが困難になるようにしている。
【００３３】
図３は登録者が使用する情報端末としての登録者端末２の構成を示している。この登録者端末２は、登録者端末２全体の動作を制御する端末本体１１と、ガイドメッセージや端末本体１１の処理経過等を表示する表示部１２と、該端末本体１１に対する操作指示やデータを入力するための入力部１３と、インターネット６に接続するための通信部１４とを備えている。そして、端末本体１１はインターネット６を介して名刺情報提供装置との間で相互に情報をやり取りするためのＷｅｂブラウザ手段４０と、名刺情報提供装置からの通知を電子メールで受信するためのメール手段４１とを備えている。
【００３４】
表示部１２は、例えば、液晶ディスプレイ装置、ブラウン管ディスプレイ装置等からなっている。この表示部１２には、名刺情報提供装置１の処理を選択するためのメニューや、データを入力するための入力画面等が表示される。以下、特に断らない限り、「表示」というときは、表示部１２に表示することをいう。
【００３５】
入力部１３は、例えば、キーボード、テンキー等のキー入力装置や、マウス、トラックボール等のポインティング装置からなっている。この入力部１３により、名刺情報提供装置１へ送信する指示やデータ等を入力する。以下、特に断らない限り、「入力」又は「指定」というときは、入力部１３により入力又は指定することをいう。
【００３６】
図４は利用者が使用する情報端末としての利用者端末３の構成を示している。この利用者端末３は端末本体１１が個人名刺管理手段４２と、該個人名刺管理手段４２により使用される個人名刺情報ＤＢ５０（本書において「データベース」を「ＤＢ」と略す。）とを備えている点において主に登録者端末２と相違しており、その他の点については登録者端末２と同様に構成されている。
【００３７】
図５は名刺情報提供装置１を示している。この名刺情報提供装置１は、該装置全体の動作を制御する装置本体１７と、プログラムやデータを記憶する記憶部１８と、ガイドメッセージや装置本体１７の処理経過等を表示する表示部１２と、該装置に対する操作指示やデータを入力するための入力部１３と、インターネット６に接続するための通信部１４とを備えている。
【００３８】
装置本体１７は、ＣＰＵ（中央処理装置）、ＲＯＭ（読取り専用記憶装置）、ＲＡＭ（読取り書込み記憶装置）等（いずれも図示略）が互いにバスを介して接続されてなる公知の構成を備えたコンピュータである。装置本体１７は、記憶部１８に記憶されたプログラムやデータを前記ＲＡＭに読み込むとともに、それらの内容に従って名刺情報提供装置１全体を制御する。
【００３９】
記憶部１８は、例えば、ハードディスク装置、リムーバルディスク装置（フレキシブルディスク、光磁気ディスク、ＣＤ−ＲＯＭ、ＣＤ−Ｒ、ＣＤ−ＲＷ等のリムーバルな記録媒体の読書装置）、メモリーカード等の記憶装置からなっている。このハードディスク装置や、リムーバルな記録媒体には、後述する登録処理２０、名刺情報提供処理２１、提供情報一括通知処理２２、登録者管理処理２３、新規名刺情報登録処理２４、名刺媒体追加受付処理２５、有効期間延長受付処理２６、登録者情報ＤＢ３０、名刺情報ＤＢ３１、提供情報ＤＢ３２、及び課金情報ＤＢ３３を含む名刺情報提供プログラムが記録されるようになっている。このハードディスク装置や、リムーバルな記録媒体が名刺情報提供プログラムを記録したコンピュータ読み取り可能な記録媒体である。
【００４０】
次に、名刺情報提供用データについて説明する。まず、登録者情報ＤＢ３０は、各登録者について、該登録者を他の登録者から識別するための登録ＩＤ（Identification）、該登録ＩＤについてのパスワード、氏名、連絡先住所、連絡先電話番号、連絡先電子メールアドレス、登録中の名刺情報の名刺ＩＤ等の登録者情報を含むレコードの集合からなっている。
【００４１】
名刺情報ＤＢ３１は、各名刺ＩＤについて、該名刺ＩＤの有効期間と、名刺媒体８に表示されている名刺情報と同様の情報とを含むレコードの集合からなっている。
【００４２】
提供情報ＤＢ３２は、名刺情報を利用者に提供したときの提供情報を含むレコードの集合からなっており、名刺情報を提供するごとに順次レコードが追加されるようになっている。提供情報としては、本例では提供日時、提供先利用者の氏名及び電子メールアドレスとしている。
【００４３】
課金情報ＤＢ３３は、各名刺情報について、その名刺ＩＤ、課金カウント、及び課金総額を含むレコードの集合からなっている。課金カウントには名刺情報を利用者に提供した度数が記録され、登録者には該課金カウントに比例した金額が課金されるようになっている。また、課金総額には、新規名刺情報の登録料金、名刺媒体の追加注文の料金、有効期間の延長料金等の料金が集計されるようになっている。
【００４４】
次に、名刺情報提供プログラムについて説明する。なお、以下において、「Ｘ」を端末（登録者端末２又は利用者端末３）から入力する、というときは、名刺情報提供装置１から「Ｘ」の入力を促すためのガイド表示情報を端末に送信し、端末にガイド表示させることによって入力を促すとともに、該ガイド表示に基づいて端末に入力された「Ｘ」をインターネット６を介して端末から受信することにより名刺情報提供装置１に入力することをいう。また、「Ｘ」を端末に表示させる、というときは、名刺情報提供装置１から「Ｘ」を端末に送信し、該端末に表示させることをいう。
【００４５】
登録処理２０は、登録希望者からの登録申込みを受け付けて登録者として登録するとともに、新規名刺の登録を受け付ける処理である。図６のフローチャートに示すように、この登録処理２０では、まず、登録希望者の登録者情報を登録者端末２から入力する（ステップＳ１０１）。次いで、登録者に課金するためのクレジットカードの名義人、カード番号、有効期限等のクレジット情報を登録者端末２から入力する（ステップＳ１０２）。次いで、決済機関の決済装置４に登録希望者のクレジット情報を送信し、そのクレジット情報の確認結果を決済装置４から受信する（ステップＳ１０３）。次いで、クレジット情報の確認結果をチェックし（ステップＳ１０４）、クレジット不可能である旨であれば、本処理を終了する（ステップＳ１０９）。一方、クレジット可能である旨であれば、登録者情報ＤＢ３０中で使用されていない新規な登録ＩＤを設定し、登録者端末２に表示させる（ステップＳ１０５）。次いで、該登録ＩＤについてのパスワードを登録者端末２から入力する（ステップＳ１０６）。次いで、登録ＩＤ、パスワード、及び登録希望者の登録者情報を登録者情報ＤＢ３０に記憶させる（ステップＳ１０７）。次いで、後述する新規名刺情報登録処理２４を実行し（ステップＳ１０８）、本処理を終了する（ステップＳ１０９）。
【００４６】
名刺情報提供処理２１は、名刺情報を利用者に提供するための処理である。図７のフローチャートに示すように、この名刺情報提供処理２１では、まず、利用者が提供を受けようとする名刺情報についての名刺ＩＤとパスワード（名刺情報中の連絡先電子メールアドレス）を利用者端末３から入力する（ステップＳ１２１）。次いで、名刺情報ＤＢ３１の中から利用者が入力した名刺ＩＤを含むレコードを検索する（ステップＳ１２２）。検索結果をチェックし（ステップＳ１２３）、該名刺ＩＤを含むレコードが見つからなかったときは本処理を終了する（ステップＳ１３２）。該レコードが見つかったときは、それに記憶された有効期間をチェックし（ステップＳ１２４）、有効期間が切れているときは本処理を終了する（ステップＳ１３２）。有効期間内であるときは、該レコード内の名刺情報中の連絡先電子メールアドレスと、利用者が入力したパスワードとを照合し（ステップＳ１２５）、一致していなければ本処理を終了する（ステップＳ１３２）。これが一致していれば、利用者の個人情報（氏名、連絡先電子メールアドレス等）を利用者端末３から入力する（ステップＳ１２６）。次いで、利用者が入力した個人情報は該利用者が提供を受けた名刺情報の登録者に通知されることを利用者端末３に表示するとともに、その承諾を利用者端末３から入力する（ステップＳ１２７）。そして、許諾が得られなかったときは（ステップＳ１２８）、本処理を終了する（ステップＳ１３２）。許諾が得られたときは（ステップＳ１２８）、利用者端末３から電子名刺として利用可能なデータ形式の指定を入力し、利用者が入力した名刺ＩＤについての名刺情報を指定されたデータ形式に変換し、該変換した名刺情報を利用者の連絡先電子メールアドレス宛に送信する（ステップＳ１２９）。次いで、利用者への提供情報を提供情報ＤＢ３２に記憶させるとともに（ステップＳ１３０）、課金情報ＤＢ３３の前記登録者への課金カウントを１つ増やし（ステップＳ１３１）、本処理を終了する（ステップＳ１３２）。
【００４７】
提供情報一括通知処理２２は、登録者へ一定期間ごとに提供情報を通知するための処理である。図８のフローチャートに示すように、この提供情報一括通知処理２２では、一定期間が経過するまで待ち（ステップＳ１４１）、一定期間が経過すると、各登録者についての提供情報を提供情報ＤＢ３２から取り出し（ステップＳ１４２）、各登録者の提供情報をそれぞれ各登録者に通知するために、その連絡先電子メールアドレス宛に送信する（ステップＳ１４３）。そして、ステップＳ１４１に戻るようになっている。
【００４８】
登録者管理処理２３は、登録者からその登録内容の変更等を受け付けるための処理である。図９のフローチャートに示すように、この登録者管理処理２３では、まず、登録者の登録ＩＤ及び該登録ＩＤについてのパスワードを登録者端末２から入力し、登録者情報ＤＢ３０の中から該登録ＩＤを含むレコードを検索し、レコードが見つかったときは、該レコード内のパスワードと、登録者が入力したパスワードとを照合する（ステップＳ１６１）。その結果をチェックし（ステップＳ１６２）、認証できなかったとき（レコードが見つからなかったり、パスワードが一致しなかったとき）は本処理を終了する（ステップＳ１７６）。認証できたときは、登録者情報の修正、名刺情報の修正、提供情報の参照、名刺媒体の追加注文、有効期間の延長、新規名刺情報の登録、終了等のメニューを登録者端末２に表示し、登録者端末でメニューが選択されるのを待つ（ステップＳ１６３）。
【００４９】
そして、登録者情報の修正メニューが選択されたときは（ステップＳ１６４）、修正する登録者情報を登録者端末２から入力し、登録者情報ＤＢ３０の内容を更新し（ステップＳ１６５）、ステップＳ１６３に戻る。また、ステップＳ１６３において、名刺情報の修正メニューが選択されたときは（ステップＳ１６６）、修正する名刺情報を登録者端末２から入力し、名刺情報ＤＢ３１の内容を更新し、ステップＳ１６３に戻る。また、ステップＳ１６３において、提供情報の参照メニューが選択されたときは（ステップＳ１６８）、その登録者についての提供情報を登録者端末２に表示させ、ステップＳ１６３に戻る。また、ステップＳ１６３において、名刺媒体の追加注文メニューが選択されたときは（ステップＳ１７０）、後述する名刺媒体追加受付処理２５を実行し（ステップＳ１７１）、ステップＳ１６３に戻る。また、ステップＳ１６３において、有効期間の延長メニューが選択されたときは（ステップＳ１７２）、後述する有効期間延長受付処理２６を実行し（ステップＳ１７３）、ステップＳ１６３に戻る。また、ステップＳ１６３において、新規名刺情報の登録メニューが選択されたときは（ステップＳ１７４）、後述する新規名刺情報登録処理２４を実行し、ステップＳ１６３に戻る。また、ステップＳ１６３において、終了メニューが選択されたときは、本処理を終了する（ステップＳ１７６）。
【００５０】
新規名刺情報登録処理２４は、登録者が新規名刺情報を登録するための処理である。図１０のフローチャートに示すように、この新規名刺情報登録処理２４では、まず、登録する名刺情報及び該名刺情報が表示された名刺媒体８の注文数を登録者端末２から入力する（ステップＳ１８１）。次いで、名刺情報ＤＢ３１中で使用されていない新規な名刺ＩＤを設定し、登録者端末２に表示させる（ステップＳ１８２）。次いで、この名刺ＩＤ、該名刺ＩＤの有効期間、及び名刺情報を名刺情報ＤＢ３１に記憶させる（ステップＳ１８３）。このとき、名刺ＩＤの有効期間は、名刺媒体８の注文数に応じて設定されるようになっており、本例では１００枚ごとに１ヶ月の有効期間が設定される。次いで、課金情報ＤＢ３３に名刺媒体８の注文数に応じた新規名刺情報の登録料金を記録する（ステップＳ１８４）。次いで、名刺情報とともに名刺媒体８の注文数を名刺業者の名刺受注装置５に送信することにより名刺媒体の作成を依頼し（ステップＳ１８５）、本処理を終了する（ステップＳ１８６）。
【００５１】
名刺媒体追加受付処理２５は、名刺媒体８の追加注文を登録者から受け付けるための処理である。図１１に示すように、名刺媒体追加受付処理２５では、まず、追加注文する名刺情報の名刺ＩＤ及び注文数を登録者端末２から入力する（ステップＳ２０１）。次いで、該注文数に応じて該名刺ＩＤについての有効期間を延長するように名刺情報ＤＢ３１を更新する（ステップＳ２０２）。次いで、該名刺ＩＤの名刺情報とともに名刺媒体８の注文数を名刺業者の名刺受注装置５に送信することにより名刺媒体の作成を依頼する（ステップＳ２０３）。次いで、課金情報ＤＢ３３に追加注文の料金を記録し（ステップＳ２０４）、本処理を終了する（ステップＳ２０５）。
【００５２】
有効期間延長受付処理２６は、名刺情報の有効期間延長の注文を登録者から受け付けるための処理である。図１２に示すように、有効期間延長受付処理２６では、まず、延長する名刺情報の名刺ＩＤ及び延長期間を登録者端末２から入力する（ステップＳ２２１）。次いで、該名刺ＩＤについての有効期間を延長するように名刺情報ＤＢ３１を更新する（ステップＳ２２２）。次いで、課金情報ＤＢ３３に有効期間の延長料金を記録し（ステップＳ２２３）、本処理を終了する（ステップＳ２２４）。
【００５３】
次に、以上のように構成された名刺情報提供装置１の一連の動作例について図１３を参照しながら、具体的に説明する。まず、登録希望者が登録者端末２により名刺情報提供装置１に接続し、新規登録用のＷｅｂページを開くと、名刺情報提供装置１は登録処理２０を実行し、登録希望者の登録情報、名刺情報、名刺媒体８の注文等を受け付け、登録者として登録する（Ａ１）。その後、名刺作成業者から名刺媒体８を受け取った登録者は、該名刺媒体８を名刺交換時等に適宜配布する。そして、名刺媒体８を受け取った者が、その後、利用者として利用者端末３により名刺情報提供装置１に接続し、名刺情報提供用のＷｅｂページを開くと、名刺情報提供装置１は名刺情報提供処理２１を実行する。この名刺情報提供処理では、利用者から名刺媒体８に記載された名刺ＩＤ及びパスワードとしての連絡先電子メールアドレスを入力するとともに（Ａ３）、提供情報としての利用者の氏名及び連絡先電子メールアドレスを入力すると（Ａ４）、利用者へ該利用者が指定したデータ形式の名刺情報を電子メールで送信する（Ａ５）。利用者は、例えば利用者端末３でこの名刺情報を受信し、その名刺情報を個人名刺管理手段４２で読み込んで、個人名刺情報ＤＢ５０に記憶させる。なお、登録者には、一定期間ごとに提供者情報が通知されるとともに（Ａ６）、名刺媒体８の注文や名刺情報の提供回数等に応じて課金される（Ａ７）。また、登録者が登録者端末２により名刺情報提供装置１に接続し、登録者管理用のＷｅｂページを開くと、名刺情報提供装置１は登録者管理処理２３を実行し、登録者の登録内容の変更等を受け付ける（Ａ８）。
【００５４】
以上のように構成された名刺情報提供装置１、名刺情報提供プログラム、及び該プログラムを記録したコンピュータ読み取り可能な記録媒体によれば、名刺媒体８を受け取った者が該名刺媒体８に記載された名刺情報を電子名刺として利用可能なデータ形式も受け取ることができる（ステップＳ１２９）ので、名刺情報を個人名刺管理手段４２に簡単に読み込ませることができる。
【００５５】
また、利用者は、名刺情報を受け取るときのデータ形式を指定することができるようになっている（ステップＳ１２９）ので、利用者の情報端末で最も利用しやすいデータ形式で受け取ることができる。このため、利用者が名刺情報を受け取った後で、情報端末で利用するために、他のデータ形式に変換する手間を低減することができる。
【００５６】
また、利用者は、名刺情報の送信先を指定することができるようになっている（ステップＳ１２６）ので、利用者の情報端末が受け取り易い送信先で受け取ることができる。また、登録者にとっては、利用者が指定した送信先に送信するようになっていれば、利用者は自分が利用可能な送信先を設定しないと名刺情報を受け取ることができないので、利用者が他人に成りすまして名刺情報を受け取ることを防止することができる。
【００５７】
また、名刺情報を提供したときの提供情報を登録者へ通知するための提供情報一括通知処理２２を備えているので、登録者が名刺媒体８を渡した相手の自分への関心の有無や程度を知ることができる。
【００５８】
また、名刺情報を提供するごとに登録者へ課金するように課金情報を記録する課金情報記録手段（ステップＳ１３１）を備えており、利用者には課金されないので、初めて利用する者でも気軽に利用することができる。その一方で、登録者にとっては、実際に利用された回数に応じて課金されるので、合理的である。
【００５９】
また、登録者の名刺情報及び名刺媒体８の注文情報を入力する登録受付手段（ステップＳ１８１）と、該注文内容に応じて、名刺情報を利用者へ提供する有効期間を設定する有効期間設定手段（ステップＳ１８３）とを備えているので、名刺媒体８のニーズと名刺情報のニーズとをリンクさせることができ、両者の相乗効果によって双方のニーズを増大させることができる。
【００６０】
また、名刺媒体の追加注文を入力する追加受付手段（ステップＳ２０１）と、該追加注文の内容に応じて有効期間を延長する第一の有効期間延長手段（ステップＳ２０２）とを備えているので、前記相乗効果を増進することができる。
【００６１】
また、有効期間の延長を入力する延長受付手段（ステップＳ２２１）と、該延長の内容に応じて有効期間を延長する第二の有効期間延長手段（ステップＳ２２２）とを備えているので、名刺媒体８を追加注文することなく有効期間を延長することができ、名刺媒体８の配布頻度の低い登録者のニーズにも対応することができる。
【００６２】
次に、本発明の第二実施形態に係る名刺情報提供装置について説明する。この名刺情報提供装置は、通信ネットワークを介して接続された利用者の利用者端末へ登録者の名刺媒体に記載された名刺情報を提供するための名刺情報提供装置であって、前記名刺情報を識別する名刺ＩＤに関連づけて電子名刺として利用可能なデータ形式で前記名刺情報を記憶した名刺情報記憶手段と、前記利用者端末から前記名刺媒体に記録された前記名刺ＩＤを受信する利用受付手段と、該受信した前記名刺ＩＤについての前記名刺情報を前記名刺情報記憶手段から取り出す取出手段と、該名刺情報を前記利用者端末で受信できるようにする提供手段とを備えている。
【００６３】
本実施形態の名刺情報提供装置においては、前記名刺情報記憶手段では、前記電子名刺として利用可能なデータ形式で前記名刺情報を記憶しており、第一実施形態におけるデータ形式を変換する変換手段は備えていない点において、主に第一実施形態と相違しており、その他の点については第一実施形態と共通している。
【００６４】
なお、前記利用受付手段において、前記データ形式以外の他データ形式の指定を受信することができるように構成するとともに、前記データ形式の前記名刺情報を前記他データ形式に変換する変換手段を設け、前記提供手段では該変換手段によって変換した他データ形式の前記名刺情報を提供するように構成することもできる。
【００６５】
本実施形態の名刺情報提供装置によっても、第一実施形態と同様の効果を得ることができる。
【００６６】
なお、本発明は前記実施形態に限定されるものではなく、例えば以下のように、発明の趣旨から逸脱しない範囲で適宜変更して具体化することもできる。
（１）名刺媒体８をカード以外の態様のものにすること。
（２）利用者が電子メール以外の通信方法により名刺情報を受け取るように構成すること。
（３）名刺情報を提供するとすぐに登録者へ提供情報を提供するように名刺情報提供装置１を構成すること。
【００６７】
（４）名刺媒体８の注文によって名刺情報の登録を認めるとともに該名刺媒体８の注文数に応じて名刺情報の有効期間を設定するのではなく、名刺情報の登録を名刺媒体８の販売から切り離し、名刺媒体８を注文しなくても名刺情報の登録を認めるとともに名刺情報の登録期間に応じて課金するように構成すること。例えば、一日ごとに１０円ずつ課金する態様や、一年ごとに３６５０円ずつ課金する態様等、一定期間ごとに課金する態様を例示する。
（５）ステップＳ１３１を省くことにより、名刺情報を提供するごとの登録者への課金を行わないようにすること。
【００６８】
（６）クレジットによる決済方法に代えて適宜他の決済方法を採用すること。例えば、預金口座振替による集金代行、コンビニ収納代行、電話・電気・ガス等の料金に合算する集金代行等により決済したり、電子マネーにより電子決済したりする態様が挙げられる。
【００６９】
（７）個人情報の利用の許諾が利用者から得られない場合も、利用者に名刺情報を提供するように構成すること。例えば、名刺情報提供処理２１において、ステップＳ１２８で個人情報の利用の許諾が得られなかったときは、処理を終了するのではなく、提供情報の記録（ステップＳ１３０）を実行せずに、名刺情報の送信（Ｓ１２９）及び課金情報の記録（ステップＳ１３１）を実行するように構成することが挙げられる。
（８）名刺媒体８に名刺情報提供装置へのアクセス方法（インターネット６のＵＲＬ（Uniform Resource Locator）等）を表示又はコンピュータ読み取り可能に記録すること。
【００７０】
【発明の効果】
本発明の名刺情報提供装置、名刺情報提供プログラム、及び該プログラムを記録したコンピュータ読み取り可能な記録媒体は、上記の通り構成されているので、名刺媒体に記載された名刺情報を情報端末に簡単に入力することができるという優れた効果を奏する。
【図面の簡単な説明】
【図１】
本発明の第一実施形態に係る名刺情報提供装置を含むネットワーク構成図である。
【図２】
同名刺情報提供装置で使用する名刺媒体を示す図である。
【図３】
同名刺情報提供装置に接続される登録者端末を示すブロック図である。
【図４】
同名刺情報提供装置に接続される利用者端末を示すブロック図である。
【図５】
同名刺情報提供装置を示すブロック図である。
【図６】
同名刺情報提供装置の登録処理の流れを示すフローチャートである。
【図７】
同名刺情報提供装置の名刺情報提供処理の流れを示すフローチャートである。
【図８】
同名刺情報提供装置の提供情報一括通知処理の流れを示すフローチャートである。
【図９】
同名刺情報提供装置の登録者管理処理の流れを示すフローチャートである。
【図１０】
同名刺情報提供装置の新規名刺情報登録処理の流れを示すフローチャートである。
【図１１】
同名刺情報提供装置の名刺媒体追加受付処理の流れを示すフローチャートである。
【図１２】
同名刺情報提供装置の有効期間延長受付処理の流れを示すフローチャートである。
【図１３】
同名刺情報提供装置、同登録者端末、及び同利用者端末の間における情報の流れを示すブロック図である。
【符号の説明】
１  名刺情報提供装置
２  登録者端末
３  利用者端末
４  決済装置
５  名刺受注装置
６  インターネット
８  名刺媒体
１８  記憶部
２０  登録処理
２１  名刺情報提供処理
２２  提供情報一括通知処理
２３  登録者管理処理
２４  新規名刺情報登録処理
２５  名刺媒体追加受付処理
２６  有効期間延長受付処理
３０  登録者情報ＤＢ
３１  名刺情報ＤＢ
３２  提供情報ＤＢ
３３  課金情報ＤＢ
４０  Ｗｅｂブラウザ手段
４１  メール手段
４２  個人名刺管理手段
５０  個人名刺情報ＤＢ
７０  名刺情報
７１  名刺ＩＤ